(57)【要約】【課題】暗い場所でのダストの取り残しを容易に確認することができる吸込口体およびそれを備えた電気掃除機を提供すること。【解決手段】被清掃面と対向する底面に吸込口を有する吸込口本体と、掃除機本体と接続可能なように前記吸込口本体に連通連結した接続パイプ部と、前記吸込口本体および前記接続パイプ部のうちの少なくとも一方に設けられた、前記吸込口本体の後方における被清掃面を照らす照明部とを備えたことを特徴とする電気掃除機の吸込口体。【選択図】図３
2018192064.tif 000002
【特許請求の範囲】
【請求項１】
被清掃面と対向する底面に吸込口を有する吸込口本体と、掃除機本体と接続可能なように前記吸込口本体に連通連結した接続パイプ部と、前記吸込口本体および前記接続パイプ部のうちの少なくとも一方に設けられた、前記吸込口本体の後方における被清掃面を照らす照明部とを備えたことを特徴とする電気掃除機の吸込口体。
【請求項２】
前記吸込口本体は、前面、後面、左側面および右側面を有する形状に形成され、
前記接続パイプ部は、前記吸込口本体の左右方向の中間部に連結され、
前記照明部は、前記吸込口本体の後面に設けられた後方照明部を有する請求項１に記載の吸込口体。
【請求項３】
前記吸込口本体は、前面、後面、左側面および右側面を有する形状に形成され、
前記接続パイプ部は、前記吸込口本体の左右方向の中間部に連結され、
前記照明部は、前記接続パイプ部の後面に設けられた後方照明部を有する請求項１または２に記載の吸込口体。
【請求項４】
前記接続パイプ部は、前記吸込口本体に対して前後揺動可能に連結されており、
前記吸込口本体に対して前記接続パイプ部を後方へ所定の傾斜角度まで揺動させると前記後方照明部を点灯させるように構成された請求項２または３に記載の吸込口体。
【請求項５】
前記接続パイプ部は、前記吸込口本体に対して前後揺動可能にかつ左右回動可能に連結されており、
前記照明部は、前記吸込口本体の左側面および右側面の少なくとも一方に設けられた側方照明部を有する請求項１〜４のいずれか１つに記載の吸込口体。
【請求項６】
前記接続パイプ部を所定の中心角度まで左方向または右方向に回動させて前記吸込口本体を左向きまたは右向きにさせると前記側方照明部を点灯させるように構成された請求項５に記載の吸込口体。
【請求項７】
前記吸込口本体は、前面、後面、左側面および右側面を有する形状に形成され、
前記接続パイプ部は、前記吸込口本体の左右方向の中間部に前後揺動可能にかつ左右回動可能に連結され、
前記照明部は、前記吸込口本体の左側面および右側面の少なくとも一方と前記後面との間のコーナー部に設けられたコーナー照明部を有する請求項１〜６のいずれか１つに記載の吸込口体。
【請求項８】
電動送風機および集塵部を有する掃除機本体と、前記掃除機本体に直接的にまたは間接的に接続可能な請求項１〜７のいずれか１つに記載の吸込口体とを備えた電気掃除機。
【発明の詳細な説明】
【技術分野】
【０００１】
本発明は、吸込口体およびそれを備えた電気掃除機に関する。
【背景技術】
【０００２】
特許文献１には、掃除機本体と、掃除機本体と接続される吸込具とを備え、吸込具が、前方の被清掃面に光を照射して照らす照明手段を有している電気掃除機が開示されている。
この電気掃除機の吸込具によれば、暗い場所でも前方の被清掃面を照らして汚れを視認することができるため、塵埃の取り残しが少なくなると共に、清掃が終わっている場所を再度掃除することも避けられるとされている。
【先行技術文献】
【特許文献】
【０００３】
【特許文献１】特開２０１３−２２６１７６号公報
【発明の概要】
【発明が解決しようとする課題】
【０００４】
特許文献１に記載の吸込具の場合、暗い後方の被清掃面に塵埃の取り残しがないことを確認するためには、吸込具を手前に引き戻して被清掃面を照らす必要があった。
また、例えば、壁と家具との間といった狭い隙間に吸込具を進入させた状態では、隙間の奥をどれだけ照らしても、吸込具と掃除機本体とを接続する延長パイプや吸込具自体が視界を妨げて奥の状況を確認しにくい。
【０００５】
本発明は、このような課題に鑑みなされたものであり、暗い場所でのダストの取り残しを容易に確認することができる吸込口体およびそれを備えた電気掃除機を提供することを目的とする。
【課題を解決するための手段】
【０００６】
かくして、本発明によれば、被清掃面と対向する底面に吸込口を有する吸込口本体と、掃除機本体と接続可能なように前記吸込口本体に連通連結した接続パイプ部と、前記吸込口本体および前記接続パイプ部のうちの少なくとも一方に設けられた、前記吸込口本体の後方における被清掃面を照らす照明部とを備えた電気掃除機の吸込口体が提供される。
【０００７】
また、本発明の別の観点によれば、電動送風機および集塵部を有する掃除機本体と、前記掃除機本体に直接的にまたは間接的に接続可能な前記吸込口体とを備えた電気掃除機が提供される。
【発明の効果】
【０００８】
本発明によれば、吸込口本体の後方における被清掃面を照明部によって照らすことができるため、吸込口体を手前へ引き戻すことなく後方のダストの取り残しを確認することができる。特に、狭い隙間のような制限された場所においても、良好な視界を確保してダストの存在を容易かつ確実に確認することができる。
【図面の簡単な説明】
【０００９】
【図１】本発明の電気掃除機の実施形態１を示す斜視図である。
【図２】図１の電気掃除機の内部の構成および送風経路を説明する図である。
【図３】実施形態１における吸込口体の平断面図である。
【図４】実施形態１における吸込口体内の流路および部品の位置関係を説明する図である。
【図５】実施形態１における吸込口体の関節部分を説明する概略側断面図である。
【図６】実施形態１における吸込口体の後方照明部による照明範囲を説明する図である。
【図７】実施形態２における吸込口体の横断面図である。
【図８】実施形態２における吸込口体の側方照明部用のスイッチ部であって（Ａ）はＯＦＦ状態、（Ｂ）はＯＮ状態を示す説明図である。
【図９】実施形態２における吸込口体の側方照明部による照明範囲を説明する図である。
【図１０】実施形態３における吸込口体の横断面図である。
【図１１】実施形態３における吸込口体のコーナー照明部および後方照明部による照明範囲を説明する図である。
【図１２】実施形態３における吸込口体のコーナー照明部および後方照明部による照明範囲を説明する別の図である。
【図１３】実施形態４における吸込口体の後面中間照明部による照明範囲を説明する図である。
【図１４】実施形態４における吸込口体の後面中間照明部による照明範囲を説明する別の図である。
【発明を実施するための形態】
【００１０】
（実施形態１）
図１は本発明の電気掃除機の実施形態１を示す斜視図であり、図２は図１の電気掃除機の内部の構成および送風経路を説明する図である。
図１と２に示すように、実施形態１の電気掃除機１は、電動送風機１１ａ1および集塵部を有する掃除機本体１０と、掃除機本体１０に直接的にまたは間接的に接続可能な吸込口体２０とを備える。
実施形態１では、掃除機本体１０と吸込口体２０とが延長パイプ３０にて接続されたスティック型の電気掃除機１を例示している。
【００１１】
＜掃除機本体について＞
掃除機本体１０は、駆動装置１１と、駆動装置１１に着脱可能に装着される集塵部としてのダストカップユニット１２とを備える。
【００１２】
［ダストカップユニット］
ダストカップユニット１２は、集塵室を構成するダストカップ１２ａと、ダストカップ１２ａの開口部に着脱可能に装着されるフィルター部１２ｂとを有してなり、例えば、公知のサイクロン方式のものが好適に用いられる。
【００１３】
［駆動装置］
駆動装置１１は、電動送風機１１ａ1、バッテリー１１ａ2、回路基板１１ａ3等を内蔵する本体部１１ａと、本体部１１ａの後部に設けられたハンドル１１ｂと、ハンドル１１ｂに設けられ起動・停止スイッチを有する操作部１１ｃと、延長パイプ３０の基端の第１接続部３２を離脱可能に受入れて接続する吸込筒部１１ｄとを備える。
【００１４】
本体部１１ａにおけるハンドル１１ｂ側の部分は開閉可能なバッテリー装着部１１ａｂとなっており、バッテリー装着部１１ａｂにバッテリー１１ａ2が着脱可能に装着される。
また、本体部１１ａと吸込筒部１１ｄとに沿った部分はダストカップユニット装着部１１ａｄとなっており、そのダストカップユニット装着部１１ａｄにダストカップユニット１２が着脱可能に装着される。
【００１５】
ダストカップユニット装着部１１ａｄにおける本体部１１ａ側の部分にはダストカップユニット１２のフィルター部１２ｂと着脱可能に接続する開口部１１ａｘが形成されており、その開口部１１ａｘと電動送風機１１ａ1とは通風路１１ａｙにて接続されると共に、電動送風機１３の下流には排気流路１１ａｚが設けられている。
また、吸込筒部１１ｄの内部は、延長パイプ３０とダストカップユニット１２のダストカップ１２ａとの間を接続する流路１１ｄ1となっている。
【００１６】
＜吸込口体について＞
図３は実施形態１における吸込口体の平断面図であり、図４は実施形態１における吸込口体内の流路および部品の位置関係を説明する図であり、図５は実施形態１における吸込口体の関節部分を説明する概略側断面図である。
図１〜５に示すように、吸込口体２０は、吸込口本体２１と、接続パイプ部２２と、  接続パイプ部２２を吸込口本体２１に対して約９０度の角度範囲で揺動させることが可能な関節部２３と、吸込口本体２１に設けられた照明部２０Ｌとを備える。
【００１７】
吸込口本体２１は、天板２１ａと、吸込口２１ｂ1および孔部２１ｂ2を前部と中央部に有する底板２１ｂと、それらの間の外周に沿って設けられた側板２１ｃとを含む筐体を備える。
この筐体は、平面的に視て、吸込口２１ｂ1を有する部分が左右方向に長い長方形に形成された前半部２１ｘと、前半部２１ｘの左右中間部から後方に突出する後半部２１ｙとを有する平面視略Ｔ形に形成されている。
また、側板２１ｃの前面はバンパー２１ｃ1にて覆われている。
【００１８】
また、吸込口本体２１は、底板２１ｂの吸込口２１ｂ1に設けられ回転軸の両端が軸受２４で回転可能に支持された回転ブラシ２５と、回転ブラシ２５を回転駆動する回転ブラシ回転駆動部２６と、底板２１ｂの孔部２１ｂ2に回転可能に設けられた自走ローラ２７と、自走ローラ２７を回転駆動する自走ローラ回転駆動部２８とを備える。
【００１９】
回転ブラシ回転駆動部２６は、底板２１ｂに設置され回転ブラシ２５を駆動する回転ブラシ用モータ（第１モータ）２６ａと、図示しない第１モータドライバ回路と、回転ブラシ２５の回転軸の一端（左端）に設けられたプーリー２６ｂと、回転ブラシ用モータ２６ａの出力軸に設けられたプーリー２６ｃと、プーリー２６ｂ、２６ｃを連結するタイミングベルト２６ｄとを備える。
【００２０】
自走ローラ回転駆動部２８は、底板２５に設置され自走ローラ２７を駆動する自走ローラ用モータ（第２モータ）２８ａと、図示しない第２モータドライバ回路と、自走ローラ２７の回転軸の一端（左端）に設けられたプーリー２８ｂと、自走ローラ用モータ２８ａの出力軸に設けられたプーリー２８ｃと、プーリー２８ｂ、２８ｃを連結するタイミングベルト２８ｄとを備える。
また、底板２５の後方に突出した後半部２１ｙには吸込口体２０の後部を移動可能に支持する一対の後輪２９が設けられている。
【００２１】
また、図２〜５に示すように、吸込口体２０の内部おいては、吸込口２１ｂ1と接続パイプ部２２とが吸引流路２０ａおよび後述の関節部２３によって接続され、吸引流路２０ａは、自走ローラ２７および自走ローラ用モータ２８ａと、天板２１ａとの間を平面上から視て直線状に通るように設けられている。
【００２２】
照明部２０Ｌには、図３に示すように、吸込口本体２１の後面に設けられた複数の後方照明部２０Ｌｒ1、２０Ｌｒ2が含まれ、これらの後方照明部２０Ｌｒ1、２０Ｌｒ2としてＬＥＤを用いることができる。なお、ＬＥＤの背後には反射板を設けることが好ましい。
【００２３】
実施形態１の場合、吸込口本体２１の側板２１ｃにおける前半部２１ｘの後面に２個の後方照明部２０Ｌｒ1が設けられると共に、側板２１ｃにおける後半部２１ｙの後面に２個の後方照明部２０Ｌｒ2が設けられている。そして、これらの各照明部２０Ｌは透明樹脂製の窓部にて覆われている。
なお、照明部２０Ｌの点灯と消灯の切り替えは、後述する後方照明部２０Ｌｒ2用のスイッチ部Ｓ1にて行われる。
【００２４】
図４と５に示すように、関節部２３は、前後方向の第１軸心Ｐ1廻りに左右方向へ回動可能に吸引流路２０ａに接続された第１部材２３ａと、第１軸心Ｐ1と直交する左右方向の第２軸心Ｐ2廻りに前後方向へ揺動可能に第１部材２３ａに接続された第２部材２３ｂとを有してなり、ダストを含む空気が流通するよう内部が空洞になっている。
【００２５】
第１部材２３ａは、第１軸心Ｐ1廻りに回動可能に吸引流路２０ａに接続された上流側接続部２３ａ1と、第２軸心Ｐ2を中心とする凹球面２３ａ21を内面に有する下流側接続部２３ａ2とを有し、上流側接続部２３ａ1と下流側接続部２３ａ2とが相互に連通するよう一体成形された部材である。
【００２６】
上流側接続部２３ａ1は吸引流路２０ａとの接続部分に上流側開口部２３ａ11を有し、下流側接続部２３ａ2は第２部材２３ｂとの接続部分に下流側開口部２３ａ22を有している。なお、下流側接続部２３ａ2の下流側開口部２３ａ22は、第２部材２３ｂの第２軸心Ｐ2を中心とする回動を所定範囲内に規制する役割を担っており、これについて詳しくは後述する。
【００２７】
第２部材２３ｂは、第１部材２３ａの下流側接続部２３ａ2の内部に嵌め込まれる部材であり、実施形態１の場合、接続パイプ部２２の上流側端部と一体成形されている。
第２部材２３ｂは、第１部材２３ａの凹球面２３ａ21と密着状に摺接可能なように外面に設けられた凸球面２３ｂ1と、第１部材２３ａの上流側接続部２３ａ1と連通する上流側開口部２３ｂ2と、接続パイプ部２２と連通する下流側開口部２３ｂ3とを有する。
【００２８】
第１部材２３ａの下流側接続部２３ａ2の内部に第２部材２３ｂが嵌め込まれた状態において、第１部材２３ａの下流側開口部２３ａ22から接続パイプ部２２が外部へ突出する。この状態において、接続パイプ部２２は、第１部材２３ａの下流側開口部２３ａ22の一端面２３ａ221に当接するまで第２軸心Ｐ2を中心として前方へ揺動して第１軸心Ｐ1に対して垂直状態となり、第１部材２３ａの下流側開口部２３ａ22の他端面２３ａ222に当接するまで第２軸心Ｐ2を中心として後方へ揺動して第１軸心Ｐ1に対して平行状態となる。
【００２９】
すなわち、第１部材２３ａの下流側開口部２３ａ22の前後方向の開口範囲は、接続パイプ部２２が第１軸心Ｐ1に対して垂直状態から平行状態に揺動できる範囲に設定されている。なお、下流側開口部２３ａ22の開口範囲は、接続パイプ部２２の第２軸心Ｐ2を中心とする前後方向の所望の揺動範囲に応じて適宜調整可能である。
【００３０】
また、接続パイプ部２２が第２軸心Ｐ2を中心として前後方向に所定の揺動範囲で揺動する際、第２部材２３ｂの凸球面２３ｂ1が第１部材２３ａの凹球面２３ａ21に摺接する。この間は第２部材２３ｂが第１部材２３ａと常に連通し、かつ第２部材２３ｂの上流側開口部２３ｂ2が第１部材２３ａの下流側開口部２３ａ22と連通しないように、第２部材２３ｂの上流側開口部２３ｂ2の前後方向の開口範囲が設定されている。
【００３１】
図３〜５に示すように、後方照明部２０Ｌｒ1、２０Ｌｒ2用のスイッチ部Ｓ1は、例えば、関節部２３の下部に設けられる。具体的には、実施形態１の場合、第１部材２３ａの上流側接続部２３ａ2の下面にスイッチ部Ｓ1を取り付け、スイッチ部Ｓ1の突出・引っ込み可能な凸部Ｓ11を上流側接続部２３ａ2の貫通孔に挿通させて第２部材２３ｂ側へ突出させている。
【００３２】
そして、接続パイプ部２２が垂直状態から所定の傾斜角度θ（例えば、５５°）まで後方へ揺動すると、第２部材２３ｂの上流側開口部２３ｂ2の端縁部２３ｂ21にてスイッチ部Ｓ1の凸部Ｓ11が押圧されてＯＮ状態となり、後方照明部２０Ｌｒ1、２０Ｌｒ2が点灯するように構成されている。
【００３３】
また、接続パイプ部２２が所定の傾斜角度θから９０°の範囲で揺動している間はスイッチ部Ｓ1のＯＮ状態が継続し、接続パイプ２２が所定の傾斜角度θよりも小さくなるよう前方へ揺動すると、スイッチ部Ｓ1の凸部Ｓ11への押圧が解除され、凸部Ｓ11が第２軸心Ｐ2側へ突出してスイッチ部Ｓ1がＯＦＦ状態となり、後方照明部２０Ｌｒ1、２０Ｌｒ2が消灯する。
【００３４】
＜延長パイプについて＞
図１と２に示すように、延長パイプ３０は、パイプ本体３１と、パイプ本体３１の一端部に設けられて掃除機本体１０の吸込筒部１１ｄに離脱可能に差し込まれて接続する第１接続部３２と、パイプ本体３１の他端部に設けられて吸込口体２０の接続パイプ部２２を離脱可能に受け入れて接続する第２接続部３３とを有する。
【００３５】
＜その他の構成について＞
吸込口体２０内の図示しない第１モータドライバ回路、第２モータドライバ回路、後方照明部２０Ｌｒ1、２０Ｌｒ2およびスイッチ部Ｓ1（図５）は、駆動装置１１から延長パイプ２０を介して吸込口体２０を通る図示しない電気配線によって駆動装置１１内の回路基板１１ａ3と電気的に接続されている。
【００３６】
＜電気掃除機の動作について＞
図６は実施形態１における吸込口体の後方照明部による照明範囲を説明する図である。
図１〜図６を参照しながら、実施形態１の電気掃除機１の動作について説明する。
使用者が掃除機本体１０の操作部１１ｃの電源スイッチを押してＯＮにし、起動／停止スイッチを押して「起動」にすると、電動送風機１１ａ1、回転ブラシ用モータ２６ａ、および自走ローラ用モータ２８ａが駆動を開始する。それによって、回転ブラシ２５および自走ローラ２７が回転して吸込口体２０は自動的に前進し始め、掃除作業が開始される。
【００３７】
回転ブラシ２５の回転によって床面Ｆの塵埃が集められ、吸込口２１ｂ1から空気と共に吸引流路２０ａ、延長パイプ３０および流路１１ｄ1を介してダストカップユニット１２へ吸引される。
【００３８】
一方、ダストカップユニット１２によって捕集された塵埃は重力によって落下し、ダストカップ１２ａの底部に集積される。その集積量が許容限度に達すると、作業者はダストカップユニット１２を駆動装置１１から取り外し、集積された塵埃を廃棄する。
【００３９】
ダストカップａ内へ吸引された塵埃を含む空気は、フィルター部１２ｂによってろ過され、清浄な空気のみが通風路１１ａｙを通り電動送風機１１ａ1から排気口１１ａｚを介して外部へ排出される。
【００４０】
このような被清掃面Ｆ上の清掃中、例えば、テーブル、椅子、ソファー、ベッド等の家具の下に吸込口体２０を進入させる際、吸込口本体２１に対して接続パイプ部２２が後方へ揺動して被清掃面Ｆに近づくよう傾斜し、所定の傾斜角度θまで傾斜するとスイッチ部Ｓ1がＯＮ状態となって自動的に後方照明部２０Ｌｒ1、２０Ｌｒ2が点灯する。
【００４１】
この際、図６に示すように、後方照明部２０Ｌｒ1、２０Ｌｒ2から被清掃面Ｆ向かって光が照射されて点線内の領域Ａが照らされる。なお、図６における領域Ａの広さは模擬的に示したものであり、後方照明部２０Ｌｒ1、２０Ｌｒ2の出力を調整することにより領域Ａの広さは調整可能である。
【００４２】
したがって、テーブル、椅子、ソファー、ベッド等の下の暗い場所に吸込口体２０を進入させると、吸込口体２０の後方の広い範囲が照らされるため、吸込口体２０を前進させながら被清掃面Ｆ上にダストの取り残しがないか目視により容易に確認することができる。
また、使用者が後方照明部２０Ｌｒ1、２０Ｌｒ2を点灯する操作が不要であるため、使用者に対して操作の手間を軽減することができる。
【００４３】
なお、ハンドル１１ｂを左に捻ると、延長パイプ３０を介して吸込口体２０の接続パイプ部２２および関節部２３に左向きの回動力が伝わり、それによって吸込口体２０は正面を向いたホームポジション（図６）から左に向きを変える（図９）。吸込口体２０を右向きにする場合はハンドル１１ｂを右に捻ればよい。このように吸込口体２０を左向きまたは右向きにすることにより、吸込口本体２１の左右幅を狭くすることができるため、壁や家具の間といった狭い隙間に吸込口体２０を進入させて掃除することができる。
【００４４】
（実施形態２）
図７は実施形態２における吸込口体の横断面図である。また、図８は実施形態２における吸込口体の側方照明部用のスイッチ部であって（Ａ）はＯＦＦ状態、（Ｂ）はＯＮ状態を示す説明図である。また、図９は実施形態２における吸込口体の側方照明部による照明範囲を説明する図である。なお、図７〜９において、図１〜６中の要素と同様の要素には同一の符号を付している。
【００４５】
実施形態２の実施形態１とは異なる点は、吸込口体１２０に側方照明部２０Ｌｓ1、２０Ｌｓ2および側方照明部用のスイッチ部Ｓ2が追加された点であり、実施形態２におけるそれ以外の構成は実施形態１と概ね同様である。以下、実施形態２における実施形態１とは異なる点を主に説明する。
実施形態２の電気掃除機１０１は、実施形態１と同様の掃除機本体１０および延長パイプ３０（図１参照）を備えると共に、後述する吸込口体１２０を備える。
【００４６】
図７に示すように、吸込口体１２０は、実施形態１の吸込口体２０（図３）と同様に４個の後方照明部２０Ｌｒ1、２０Ｌｒ2を有し、さらに、前半部１２１ｘの左右側面と後半部１２１ｙの左右側面にも４個の側方照明部２０Ｌｓ1、２０Ｌｓ2を有している。
【００４７】
図８（Ａ）に示すように、側方照明部用のスイッチ部Ｓ2は、例えば、吸引流路２０ａの左右側面にそれぞれ設けられる。さらに、関節部２３（図５）の第１部材２３ａの上流側接続部２３ａ1の上面に、左右のスイッチ部Ｓ2の凸部を押圧可能な押圧部２３ａｐが設けられる。
押圧部２３ａｐは、関節部２３の第１部材２３ａの上流側接続部２３ａ1の上面に取り付けられた取付部２３ａｐ1と、取付部２３ａｐ1の先端部に連設された円弧板部２３ａｐ2とを有している。
【００４８】
実施形態２の場合、一対のスイッチ部Ｓ2は、中心角度１８０°の対向位置に設けられている。また、押圧部２３ａｐにおいて、取付部２３ａｐ1は一対のスイッチ部Ｓ2に対して中心角度９０°の位置に設けられ、円弧板部２３ａｐ2は取付部２３ａｐ1の左右両側へそれぞれ所定の中心角度α（この場合４５°）の範囲で設けられている。
【００４９】
実施形態２の電気掃除機１０１の場合、実施形態１の電気掃除機１と同様に、ホームポジションにある吸込口体１２０を前進させて被清掃面を掃除し、テーブル、椅子、ソファー、ベッド等の家具の下に吸込口体１２０を進入させる際に吸込口本体１２１に対して接続パイプ部２２を所定の傾斜角度θ（図５）まで傾斜させるとスイッチ部Ｓ1がＯＮ状態となって自動的に後方照明部２０Ｌｒ1、２０Ｌｒ2が点灯する。
【００５０】
また、例えば、壁と家具の間の狭い隙間を掃除する際、図９に示すように、ハンドル１１ｂを左に捻ると吸込口本体１２１が左向きになる。このとき、図５と図８（Ｂ）に示すように、関節部２３の第１部材２３ａおよび押圧部２３ａｐが吸引流路２０ａに対して左方向（矢印Ｌ方向）へ回動する。
【００５１】
そして、押圧部２３ａｐが左方向へ所定の中心角度α以上で回動すると、円弧板部２３ａｐ2の左端部が左側のスイッチ部Ｓ2を押圧する。すると、左側のスイッチ部Ｓ2がＯＮ状態となって自動的に左側の側方照明部２０Ｌｓ1、２０Ｌｓ2が点灯する。
なお、押圧部２３ａｐの取付部２３ａｐ1が左側のスイッチ部Ｓ２に当接することにより、第１部材２３ａの吸引流路２０ａに対する左方向への回動が規制される。
【００５２】
実施形態２の場合、図９に示すように、吸込口体１２０が左向きとなることにより後方へ向けられた左側の側方照明部２０Ｌｓ1、２０Ｌｓ2から被清掃面Ｆ向かって光が照射されて点線内の領域Ａが照らされる。なお、図６における領域Ａの広さは側方照明部２０Ｌｓ1、２０Ｌｓ2の出力を調整することにより調整可能である。
【００５３】
したがって、狭く暗い隙間に吸込口体１２０を進入させると、吸込口体１２０の後方の広い範囲が照らされるため、吸込口体１２０を前進させながら被清掃面Ｆ上にダストの取り残しがないか目視により容易に確認することができる。
また、使用者が側方照明部２０Ｌｓ1、２０Ｌｓ2を点灯する操作が不要であるため、使用者に対して操作の手間を軽減することができる。
【００５４】
一方、ハンドル１１ｂを右に捻ると、関節部２３は、図８（Ａ）および（Ｂ）で説明したハンドル１１ｂを左に捻った場合と逆方向に動作して吸込口体１２０が右向きとなり、それによって後方へ向けられた右側の側方照明部２０Ｌｓ1、２０Ｌｓ2が自動的に点灯する。
なお、実施形態２におけるスイッチ部Ｓ２は、図８に示した接触式の他には、押圧部２３ａｐの円弧板部２３ａｐ2を検知する近接センサに置き換えることもできる。
【００５５】
（実施形態３）
図１０は実施形態３における吸込口体の横断面図であり、図１１は実施形態３における吸込口体のコーナー照明部および後方照明部による照明範囲を説明する図であり、図１２は実施形態３における吸込口体のコーナー照明部および後方照明部による照明範囲を説明する別の図である。なお、図１０〜１２において、図１〜６中の要素と同様の要素には同一の符号を付している。
【００５６】
実施形態３の実施形態１とは異なる点は、吸込口体２２０の前半部２２１ｘの後面に照明部を設けずに、前半部２２１ｘの後面側の左右のコーナー部にコーナー照明部２０Ｌｃ1を設けた点と、各照明部用のスイッチ部Ｓ3を操作部２１１ｃに設けた点であり、実施形態３におけるそれ以外の構成は実施形態１と概ね同様である。以下、実施形態３における実施形態１とは異なる点を主に説明する。
実施形態３の電気掃除機２０１は、実施形態１と同様の掃除機本体１０および延長パイプ３０（図１参照）を備えると共に、後述する吸込口体２２０を備える。
【００５７】
図１０に示すように、吸込口体２２０は、実施形態１の吸込口体２０（図３）と同様に２個の後方照明部２０Ｌｒ2を有し、さらに、前半部１２１ｘの左右側面と後面との間のコーナー部に左右一対のコーナー照明部２０Ｌｃ1を有している。
また、図１１に示すように、コーナー照明部２０Ｌｃ1および後方照明部２０Ｌｒ2を一斉に点灯または消灯に切り替えるスイッチ部Ｓ3が、掃除機本体１０のハンドル１１ｂの操作部２１１ｃに設けられている。
【００５８】
実施形態３の電気掃除機２０１を用いて被清掃面を掃除する際、使用者がスイッチ部Ｓ3を押してＯＮ状態とすることにより、図１１および１２に示すように、全てのコーナー照明部２０Ｌｃ1および後方照明部２０Ｌｒ2が点灯し、被清掃面における点線内の領域Ａを照らす。すなわち、図１１の場合はテーブル、椅子、ソファー、ベッド等の下の暗い場所にホームポジションの吸込口体２２０を進入させながら後方を照らし、図１２の場合は狭く暗い隙間に左に向いた吸込口体２２０を進入させながら後方を照らして、ダストの取り残しがないか確認することができる。
【００５９】
さらに、実施形態３の場合、吸込口体２２０が左向きまたは右向きのときでも、主に前方のコーナー照明部２０Ｌｃ1によって前方を照らすことができる。そのため、テーブル、椅子、ソファー、ベッド等の下の暗い場所や狭く暗い隙間の奥まで掃除した後、吸込口体２２０を引き戻して清掃場所の奥のダストの取り残しがないかを確認することも可能となる。
【００６０】
（実施形態４）
図１３は実施形態４における吸込口体の後面中間照明部による照明範囲を説明する図であり、図１４は実施形態４における吸込口体の後面中間照明部による照明範囲を説明する別の図である。なお、図１３と１４において、図１〜６中の要素と同様の要素には同一の符号を付している。
【００６１】
実施形態４の実施形態１とは異なる点は、吸込口体３２０の吸込口本体３２１に照明部を設けずに、接続パイプ部３２２の後面に後方照明部２０Ｌｃ1を設けた点であり、実施形態３におけるそれ以外の構成は実施形態１と概ね同様である。以下、実施形態３における実施形態１とは異なる点を主に説明する。
実施形態３の電気掃除機３０１は、実施形態１と同様の掃除機本体１０および延長パイプ３０（図１参照）を備えると共に、後述する吸込口体３２０を備える。
【００６２】
図１３と１４に示すように、吸込口体３２０は、実施形態１における吸込口体２０と基本構成が同様の吸込口本体２１、接続パイプ部３２２およびこれらを連通連結する関節部２３を有する。
さらに、吸込口体３２０とハンドル１１ｂとの間の接続パイプ部３２２の後面に後方照明部２０Ｌｒ3が設けられると共に、この後方照明部２０Ｌｒ3の点灯と消灯を切り替える実施形態１と同様のスイッチ部Ｓ1が関節部２３に設けられている（図５参照）。
【００６３】
実施形態４の電気掃除機３０１の場合、実施形態１と同様に吸込口体３２０の接続パイプ部３２２を後方へ所定の傾斜角度まで揺動すると、スイッチ部Ｓ1がＯＮ状態となり、後方照明部２０Ｌｒ3が点灯する。
これにより、図１３と１４に示すように、テーブル、椅子、ソファー、ベッド等の下の暗い場所にホームポジションの吸込口体３２０を奥まで進入させると、接続パイプ部が後方へ所定の角度以上に傾斜し、後方の被清掃面Ｆにおける領域Ａを照らして、ダストの取り残しがないか確認することができる。また、吸込口体に後方照明部を設ける他の実施例と比較して、後方照明部を被清掃面Ｆから高い位置に設けることが可能になる。加えて、接続パイプ部３２２を後方へ所定の傾斜角度まで揺動すると後方照明部２０Ｌｒ3が点灯することは、床面への照射光量を所定以上確保し、かつ、照明部の光が直接目に入ることを低減するとともに、床面に対して上方からの光の照射は、領域Ａ内のダストの視認を容易にする。
【００６４】
（他の実施形態）
【００６５】
１．実施形態１および４では吸込口本体に対して接続パイプ部を左右方向に回動可能かつ前後方向に揺動可能に接続する関節部を有する吸込口体を例示したが、実施形態１および４の場合、関節部が接続パイプを吸込口本体に対して前後方向に揺動可能にのみ接続するものであってもよい。
【００６６】
２．実施形態２では後方照明部と側方照明部とを組み合わせた場合を例示したが、側方照明部のみでもよい。この場合、ホームポジションの吸込口体で清掃した後のダストの取り残しを確認する際に、吸込口本体を左または右向きにして側方照明部にて後方の被清掃面を照らすようにすればよい。
【００６７】
３．使用者が実施形態２の電気掃除機のハンドルを右手で握り、吸込口体の向きを左または右向きに変える場合、ハンドルを左に捻って吸込口体を左向きにする動作が自然であるため、左側の側方照明部のみを点灯または消灯に切り替えるように構成してもよい。
【００６８】
４．実施形態３では、吸込口体の前半部にコーナー照明部を設けた場合を例示したが、前半部の側面および後面にさらに側方照明部および後方照明部を追加してもよい。
【００６９】
５．実施形態１、２および４では、照明部の点灯と消灯を切り替えるスイッチ部を吸込口体の関節部に設けた場合を例示したが、実施形態３のようにスイッチ部を操作部に設けてもよい。
【００７０】
６．実施形態３では照明部用のスイッチを操作部に設けた場合を例示したが、実施形態１、２および４のようにスイッチ部を吸込口体の関節部に設けてもよい。
【００７１】
７．実施形態４では接続パイプ部にのみ後方照明部を設けた場合を例示したが、実施形態２のように吸込口本体に側方照明部を追加してもよい。
【００７２】
８．実施形態１〜４ではスティック型の電気掃除機を例示したが、車輪を有する掃除機本体に可撓性ホースを接続し、吸込口体に延長パイプを接続し、可撓性ホースと延長パイプとを接続したキャニスター型の電気掃除機にも本発明は適用可能である。ただし、実施形態４においては、後方照明部は可撓性を有しない延長パイプに設けることが望ましい。
【００７３】
（まとめ）
本発明の電気掃除機の吸込口体は、被清掃面と対向する底面に吸込口を有する吸込口本体と、掃除機本体と接続可能なように前記吸込口本体に連通連結した接続パイプ部と、前記吸込口本体および前記接続パイプ部のうちの少なくとも一方に設けられた、前記吸込口本体の後方における被清掃面を照らす照明部とを備える。
【００７４】
本発明の電気掃除機の吸込口体は、次のように構成されてもよく、それらが適宜組み合わされてもよい。
（１）前記吸込口本体は、前面、後面、左側面および右側面を有する左右方向に長い形状に形成され、
前記接続パイプ部は、前記吸込口本体の左右方向の中間部に連結され、
前記照明部は、前記吸込口本体の後面に設けられた後方照明部を有してもよい。
この構成によれば、吸込口体の後方の被清掃面の左位置から右位置に亘る広い範囲を照らすことができる。
【００７５】
（２）前記吸込口本体は、前面、後面、左側面および右側面を有する左右方向に長い形状に形成され、
前記接続パイプ部は、前記吸込口本体の左右方向の中間部に連結され、
前記照明部は、前記接続パイプ部の後面に設けられた後方照明部を有してもよい。
この構成によれば、吸込口体の後方の被清掃面の左右中間位置およびその周辺に亘る広い範囲を照らすことができる。
【００７６】
（３）前記接続パイプ部は、前記吸込口本体に対して前後揺動可能に連結されており、
前記吸込口本体に対して前記接続パイプ部を後方へ所定の傾斜角度まで揺動させると前記後方照明部を点灯させるように構成されてもよい。
この構成によれば、例えば、テーブル、椅子、ソファー、ベッド等の家具の下に吸込口体を進入させる際、吸込口本体に対して接続パイプ部が後方へ揺動して被清掃面に近づくよう低く傾斜し、所定の傾斜角度まで低く傾斜すると自動的に後方照明部を点灯する。そのため、使用者が後方照明部を点灯する操作が不要となり、使用者に対して操作の手間を軽減することができる。
【００７７】
（４）前記接続パイプ部は、前記吸込口本体に対して前後揺動可能にかつ左右回動可能に連結されており、
前記照明部は、前記吸込口本体の左側面および右側面の少なくとも一方に設けられた側方照明部を有してもよい。
この構成によれば、接続パイプを左または右に回動させると吸込口本体を左向きまたは右向きに変え、吸込口本体を前後方向に長い状態にすることができるため、例えば、壁と家具との間の狭い隙間でも吸込口体を進入させて掃除することができる。この際、側方照明部にて吸込口本体の後方の被清掃面を照らすことができるため、狭い隙間であっても吸込口体を手前へ引き戻すことなく良好な視界を確保して後方のダストの取り残しを確認することができる。
【００７８】
（５）前記接続パイプ部を所定の中心角度まで左方向または右方向に回動させて前記吸込口本体を左向きまたは右向きにさせると前記側方照明部を点灯させるように構成されてもよい。
この構成によれば、例えば、壁と家具との間の狭い隙間を掃除するために吸込口体をホームポジションから左方向または右方向に回動させると、自動的に側方照明部を点灯する。そのため、使用者が側方照明部を点灯する操作が不要となり、使用者に対して操作の手間を軽減することができる。
【００７９】
（６）前記吸込口本体は、前面、後面、左側面および右側面を有する形状に形成され、
前記接続パイプ部は、前記吸込口本体の左右方向の中間部に前後揺動可能にかつ左右回動可能に連結され、
前記照明部は、前記吸込口本体の左側面および右側面の少なくとも一方と前記後面との間のコーナー部に設けられたコーナー照明部を有してもよい。
この構成によれば、１箇所のコーナー照明部によって吸込口本体の後方および側方の被清掃面を照らすことができる。
【００８０】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００８１】
１、１０１、２０１、３０１  電気掃除機
１０  掃除機本体
２０、１２０、２２０、３２０  吸込口体
２０Ｌ  照明部
２０Ｌｃ1  コーナー照明部
２０Ｌｒ1、２０Ｌｒ2、２０Ｌｒ3  後方照明部
２０Ｌｓ1、２０Ｌｓ2  側方照明部
２１  吸込口本体
２１ｂ1  吸込口
２２  接続パイプ部
Ｆ  被清掃面
α  中心角度
θ  傾斜角度
【図１】
2018192064.tif 000003
【図２】
2018192064.tif 000004
【図３】
2018192064.tif 000005
【図４】
2018192064.tif 000006
【図５】
2018192064.tif 000007
【図６】
2018192064.tif 000008
【図７】
2018192064.tif 000009
【図８】
2018192064.tif 000010
【図９】
2018192064.tif 000011
【図１０】
2018192064.tif 000012
【図１１】
2018192064.tif 000013
【図１２】
2018192064.tif 000014
【図１３】
2018192064.tif 000015
【図１４】
2018192064.tif 000016